(57)【要約】  ユーザの関与なしに記録装置の記録容量を管理する方法は、記録装置の複数の記録モードを表すデータを受信し（104、154）、普通の予約していない記録容量を使用してアイテムを記録するために使用され得る１つ以上の記録モードを特定し（114）、嗜好に基づいて選択された記録モード（122、160）を使用してアイテムの記録を構成し（128、162）、必要に応じて１つ以上の保留中のアイテム又は以前に記録されたアイテムを適合させる（120、170）ことを有する
2007520836.tif 000002
【特許請求の範囲】
【請求項１】
アイテムの記録をスケジューリングするときに、ユーザの関与なしに記録装置の記録容量を管理する方法であって、
−前記記録装置の複数の記録モードを表すデータを受信し、
−記録モード毎に、前記モードを使用して前記アイテムを記録するために必要な容量を計算し、
−前記記録装置の予約していない記録容量を取得し、
−前記計算された容量が前記予約していない記録容量より小さい記録モードを特定し、
−１つ以上の記録モードが特定されたときに、
・嗜好に基づいて特定された記録モードを選択し、
・特定された記録モードが選択されたときに、前記選択された記録モードを使用して前記アイテムの記録をスケジューリングすることを有する方法。
【請求項２】
請求項１に記載の方法であって、
・少なくとも１つの予約したアイテムを適合させ、前記取得するステップで始まる前記方法を繰り返すことを更に有する方法。
【請求項３】
アイテムを記録するときに、ユーザの関与なしに記録装置の記録容量を管理する方法であって、
−前記記録装置の複数の記録モードを表すデータを受信し、
−嗜好に基づいて記録モードを選択し、
−前記選択された記録モードを使用して前記アイテムの記録を開始し、
−前記アイテムを記録している間に、
・予約していない記録容量を取得し、
・前記予約していない記録容量が所定量より小さいときに、少なくとも１つの予約したアイテムを適合させることを有する方法。
【請求項４】
請求項３に記載の方法であって、
前記所定量は、選択された記録モードを使用した前記アイテムに必要な記録容量に対応する方法。
【請求項５】
請求項３に記載の方法であって、
前記所定量は、選択された記録モードを使用した１分の記録時間に対応する方法。
【請求項６】
請求項３に記載の方法であって、
前記所定量は、選択された記録モードを使用した１５分の記録時間に対応する方法。
【請求項７】
請求項３に記載の方法であって、
前記所定量は、選択された記録モードを使用した６０分の記録時間に対応する方法。
【請求項８】
請求項３ないし７のうちいずれか１項に記載の方法であって、
前記少なくとも１つの予約したアイテムは、現在記録されているアイテムを有し、
前記アイテムを適合させることは、
−前記嗜好に基づいて代替記録モードを選択し、
−前記選択された代替記録モードを使用して、前記アイテムの記録を継続することを有する方法。
【請求項９】
請求項２ないし７のうちいずれか１項に記載の方法であって、
前記少なくとも１つの予約したアイテムは、以前に記録されたアイテムを有し、
前記アイテムを適合させることは、
−前記嗜好に基づいて代替記録モードを選択し、
−前記選択された代替記録モードを使用して、前記アイテムを再記録することを有する方法。
【請求項１０】
請求項２ないし７のうちいずれか１項に記載の方法であって、
前記少なくとも１つの予約したアイテムは、保留中のアイテムを有し、
前記アイテムを適合させることは、
−前記嗜好に基づいて代替記録モードを選択することを有する方法。
【請求項１１】
請求項２ないし７のうちいずれか１項に記載の方法であって、
前記少なくとも１つの予約したアイテムを適合させることは、
−前記嗜好に基づいて予約したアイテムを削除することを有する方法。
【請求項１２】
請求項１ないし１１のうちいずれか１項に記載の方法であって、
選択するステップの前に、前記方法は、前記嗜好を受信することを更に有する方法。
【請求項１３】
ユーザの関与なしに記録装置の記録容量を管理するシステムであって、
−アイテムの記録をスケジューリングするときに、
・前記記録装置の複数の記録モードを表すデータを受信し、
・前記記録装置の予約していない記録容量を取得し、
・記録モード毎に、前記モードを使用して前記アイテムを記録するために必要な容量を計算し、
・前記計算された容量が前記予約していない記録容量より小さい記録モードを特定し、
・１つ以上の記録モードが特定された場合に、嗜好に基づいて特定された記録モードを選択し、
・前記選択された記録モードを使用して前記アイテムの記録をスケジューリングし、
アイテムを記録するときに、
・前記記録装置の複数の記録モードを表すデータを受信し、
・嗜好に基づいてアイテムを記録する記録モードを選択し、
・前記選択された記録モードを使用して前記アイテムの記録を開始し、
・前記アイテムを記録している間に、
予約していない記録容量を取得し、
前記予約していない記録容量が所定量より小さいときに、少なくとも１つの予約したアイテムを適合させる
ように動作可能な処理手段と、
−前記処理手段と前記記録装置との間でデータを交換するように動作可能なインタフェースと、
−前記処理手段と協働するように動作可能な記録装置と
を有するシステム。
【請求項１４】
請求項１３に記載のシステムであって、
前記記録装置は、前記複数の記録モードを表すデータを送信するように動作可能なシステム。
【請求項１５】
請求項１３又は１４に記載のシステムであって、
前記処理手段は、前記嗜好を受信するように動作可能なシステム。
【請求項１６】
請求項１５に記載のシステムであって、
前記嗜好は、ユーザインタフェースから受信されるシステム。
【請求項１７】
請求項１５に記載のシステムであって、
前記嗜好は、ネットワークから受信されるシステム。
【請求項１８】
請求項１３ないし１７のうちいずれか１項に記載のシステムであって、
前記インタフェースは、Scartで伝えられるProject50メッセージを有するシステム。
【請求項１９】
請求項１３ないし１７のうちいずれか１項に記載のシステムであって、
前記インタフェースは、HDMIで伝えられるCECメッセージを有するシステム。
【請求項２０】
請求項１３ないし１７のうちいずれか１項に記載の処理手段を有する記録装置。
【請求項２１】
請求項１ないし１２のうちいずれか１項に記載の方法を実行するように動作可能なソフトウェアを有する記録担体。
【請求項２２】
請求項１ないし１２のうちいずれか１項に記載の方法のステップを実行するように構成されたソフトウェアユーティリティ。
【請求項２３】
請求項２２に記載のソフトウェアユーティリティによる演算で指示されるデータプロセッサを有するシステム。
【発明の詳細な説明】
【技術分野】
【０００１】
本発明は、特に記録装置の記録容量が有限である記録装置で、コンテンツの記録を管理する方法及びシステムに関する。
【背景技術】
【０００２】
記録可能光ディスクやハードディスクドライブ（HDD）のような記録可能（又は読み書き可能）媒体は、オーディオビジュアル（AV：audio-visual）コンテンツ（例えばビデオ及びオーディオ番組のアイテム）の格納及び検索についての新しい選択肢を提供する。ほとんどの記録媒体に共通なものは、１つより多い記録モードの提供であり、場合によって各モードは記録の特定の品質レベル（忠実度）に対応する。VHSのようなレガシーシステムと比較して、このような新しい媒体は大量のコンテンツを格納する機能を有することがあるが、それにもかかわらず、媒体の容量は有限のままである。
【０００３】
現在、コンテンツのアイテムを記録するために、一式の既知のモードから記録モードの選択を可能にするAVプロダクト及びシステムが存在する。選択はユーザにより手動で行われるという欠点がある。システムは１つより多い記録装置を有することがあり、各装置が異なる一式の記録モードを有し、ユーザにとって選択を複雑又は困難にするという更なる欠点がある。
【０００４】
個々の記録装置について検討すると、新しいアイテムに使用される記録モードは、その容量が現在予約していない記録容量より大きく占有されないように制限され、例えば所望の品質レベルでのアイテムの記録を妨げるという欠点がある。既知の継続期間のアイテムの記録をスケジューリングするために、適切な記録モードを選択し、予約していない容量を使用してアイテムがうまく記録され得るように、適当な継続期間の推定が最初に行われなければならないという更なる欠点がある。このような手法の欠点は、選択された記録モードが最適でないことがあり、ユーザの嗜好を反映していないことがあるという点である。全体的に、記録容量の利用率は不十分になりがちであり、及び／又は記録はユーザの嗜好に対応しない。
【発明の開示】
【発明が解決しようとする課題】
【０００５】
既知の技術における改善を行うことが本発明の目的である。
【課題を解決するための手段】
【０００６】
本発明によれば、アイテムの記録をスケジューリングするときに、ユーザの関与なしに記録装置の記録容量を管理する方法が提供され、
−記録装置の複数の記録モードを表すデータを受信し、
−記録モード毎に、そのモードを使用してアイテムを記録するために必要な容量を計算し、
−記録装置の予約していない記録容量を取得し、
−計算された容量が予約していない記録容量より小さい記録モードを特定し、
−１つ以上の記録モードが特定されたときに、
・嗜好に基づいて特定された記録モードを選択し、
・特定された記録モードが選択されたときに、選択された記録モードを使用してアイテムの記録をスケジューリングすることを有する。
【０００７】
有利には、その方法は、アイテムを記録するために１つ以上の記録モードが利用可能であり、特定されたモードのうちの１つが嗜好にマッチすることを特定する。そうでない場合、その方法は、少なくとも１つの予約したアイテムを適合させ、取得するステップで始まる方法を繰り返すことが好ましい。
【０００８】
嗜好は、例えば予約していない記録容量を前提として当該コンテンツのアイテムについての最適な品質に関連する記録モードを選択するデフォルトの嗜好でもよい。更に又は代替として、嗜好はアイテム自体に関連し、例えば許容できる品質の範囲を提供してもよい。このような嗜好はまた、状況によって更に重要なアイテムに対して服従する必要がある場合に、場合によってアイテムが削除され得ることを示してもよい。
【０００９】
他の態様によれば、本発明は、アイテムを記録するときに、ユーザの関与なしに記録装置の記録容量を管理する方法を提供し、
−記録装置の複数の記録モードを表すデータを受信し、
−嗜好に基づいて記録モードを選択し、
−選択された記録モードを使用してアイテムの記録を開始し、
−アイテムを記録している間に、
・予約していない記録容量を取得し、
・予約していない記録容量が所定量より小さいときに、少なくとも１つの予約したアイテムを適合させることを有する。
【００１０】
有利には、アイテムを記録している間に、本発明は、予約していない記録容量を取得し、予約していない記録容量が所定量より小さいときに、少なくとも１つの予約したアイテムを適合させる。予約していない記録容量は、全体容量と予約した容量とを含む計算の結果として取得される。所定量は、選択された記録モードを使用したアイテムに必要な記録容量に対応し得る。代替として、所定量は、選択された記録モードを使用した特定の記録時間（好ましくは１分、１５分及び６０分のような時間）に対応し得る。
【００１１】
前記の方法では、予約したアイテムは、予約した容量に寄与するアイテム（例えば、現在記録されているアイテム、保留中のアイテム、及び以前に記録されたアイテム）である。有利には、予約したアイテムが現在記録されているアイテムである場合、そのアイテムを適合させることは、嗜好に基づいて代替記録モードを選択し、選択された代替記録モードを使用してアイテムの記録を継続することを有する。予約したアイテムが以前に記録されたアイテムである場合、そのアイテムを適合させることは、嗜好に基づいて代替記録モードを選択し、選択された代替記録モードを使用してアイテムを再記録することを有する。現在記録されているアイテムの記録部分はまた、以前に記録されたアイテムのようにみなされてもよい。予約したアイテムが保留中のアイテムである場合、そのアイテムを適合させることは、嗜好に基づいて代替記録モードを選択することを有する。予約したアイテムを適合させることは、嗜好に基づいて予約したアイテムを削除することを有し得る。嗜好はその方法に埋め込まれてもよく、また、記録モードを選択する前に嗜好は適切な外部ソースから受信可能でもよい。
【００１２】
更なる態様によれば、本発明は、ユーザの関与なしに記録装置の記録容量を管理するシステムを提供し、
−アイテムの記録をスケジューリングするときに、
・記録装置の複数の記録モードを表すデータを受信し、
・記録装置の予約していない記録容量を取得し、
・記録モード毎に、そのモードを使用してアイテムを記録するために必要な容量を計算し、
・計算された容量が予約していない記録容量より小さい記録モードを特定し、
・１つ以上の記録モードが特定された場合に、嗜好に基づいて特定された記録モードを選択し、
・選択された記録モードを使用してアイテムの記録をスケジューリングし、
アイテムを記録するときに、
・記録装置の複数の記録モードを表すデータを受信し、
・嗜好に基づいてアイテムを記録する記録モードを選択し、
・選択された記録モードを使用してアイテムの記録を開始し、
・アイテムを記録している間に、
予約していない記録容量を取得し、
予約していない記録容量が所定量より小さいときに、少なくとも１つの予約したアイテムを適合させる
ように動作可能な処理手段と、
−処理手段と記録装置との間でデータを交換するように動作可能なインタフェースと、
−処理手段と協働するように動作可能な記録装置と
を有する。
【００１３】
本発明の利点は、記録装置の有限の容量がユーザの関与なしに管理され得る点である。特定のアイテムについて、予約していない記録容量と嗜好とに基づいて適切な記録モードが自動的に選択され、その嗜好は、１つ以上のデフォルトの基準から更に詳細な基準まで及んでもよい。有利には、アイテムが個々の嗜好に関連している場合、その予約したアイテムのそれぞれが個々の嗜好の範囲内に留まることを確保しつつ、新しいアイテムを受け入れるために、予約したアイテムに適合が行われ得る。更に、このような適合は、記録前又は記録中に継続期間が未確定の番組又は超過した番組を受け入れるように、進行中に行われ得る。
【発明を実施するための最良の形態】
【００１４】
本発明の実施例について、添付図面を参照として一例のみとして説明する。
【００１５】
以下の説明では、‘記録容量’という用語は、AVコンテンツを記録するために使用される媒体の容量を示す。AVコンテンツは１つ以上の番組アイテムを有し、‘アイテム’とも呼ばれ、例えば、TV及びラジオショーやオーディオトラックやメタデータのような関連情報の１つ以上の部分又は全体である。‘予約した記録容量’は、‘予約したアイテム’と呼ばれるアイテムにより占有された媒体の容量を示し、その‘予約したアイテム’は記録用にスケジューリングされ、又は以前に記録されている。‘予約していない記録容量’は、予約したアイテムにより占有されていない媒体の容量を示す。予約したアイテムは適合可能であり、それにより‘予約した記録容量’を変更し、それにより対応の‘予約していない記録容量’を変更することができる点に留意することが適切である。‘記録装置’という用語は、以降の再生用にアイテムを記録するために使用される装置を示し、その例には、VCR、DVDレコーダ、TiVoのようなHDD型レコーダが含まれる。‘記録モード’は、記録装置が媒体にアイテムを記録するモードを示す。一般的に、記録装置の各記録モードは、記録の異なる品質（忠実度）を示し得る。‘嗜好’という用語は、１つ以上のアイテムに関連し、１つ以上のパラメータを有する。例えば、それは関連のアイテムに許容できる一式の記録モードを定め得る。
【００１６】
図１ａは、アイテムの記録をスケジューリングするときに、記録装置の記録容量を管理する方法のフローチャートを示している。その方法は102で開始し、記録装置の複数の記録モード106を表すデータを受信する104。例えば記録装置からモードを読み取ることにより、又は様々な記録装置のモードを事前にロードさせて、その方法に対して特定の記録装置を特定することにより、それは当業者に容易に特定可能な様々な方法で実現され得る。特定の記録装置について、記録モード106毎に、その方法は、そのモードを使用してアイテムを記録するために必要な容量110を計算する108。一例として、計算された容量は、そのモードを使用してアイテムを記録するために予約される媒体の容量の量（メガバイト等）である。次に、その方法は、記録装置の予約していない記録容量を取得する112。これは記録装置により提供され、また代替として、全体容量と現在予約した容量とを記述するデータから得られる。記録モード116が特定され114、そのそれぞれについて、計算された容量110は予約していない記録容量より小さい。１つ以上の記録モードが特定された場合118、その方法は、嗜好124に基づいて特定された記録モード116のうちの１つを選択し122、特定された記録モードが選択された場合126、選択された記録モードを使用したアイテムの記録がスケジューリングされる128。その方法は130で終了する。
【００１７】
特定された記録モードの選択は嗜好に基づく。１つの選択肢は、（所定の予約していない記録容量について）可能な最善の品質に対応する特定された記録モードの選択を確保するように、全アイテムに適用する嗜好を使用することである。このような嗜好は、プロダクトに内蔵されるデフォルトのパラメータになり得るという利点がある。更に又は代替として、他の選択肢は、特定のアイテムにそれぞれ関連した複数の異なる嗜好を使用することである。例えば、嗜好は、関連するアイテムが‘アーカイブ’又は‘タイムシフト’されることを示してもよい。このようなアトリビュートは、アイテムの記録モードの許容範囲を明示的又は暗示的に決定してもよい（例えば、‘アーカイブ’は、許容できるモードが比較的高品質の記録に対応するものであることを決定してもよい）。更に、アイテムのコンテンツはアイテムの嗜好の一部を形成し得る。例えば、画像の詳細の欠如は、漫画又はアニメのアイテムの記録モードの範囲に最高限度（上限）を与え得る。更に、嗜好はアイテムの相対的重要度を示し得る。例えば、記録されるべき更に重要なアイテムの容量を解放するために、このようなアイテムが削除されることを可能にする。図１ａに示していないが、嗜好は選択ステップの前にその方法により受信され得る。
【００１８】
特定された記録モードが選択された場合126、選択された記録モードを使用したアイテムの記録がスケジューリングされる128。スケジューリングは、如何なる適切な方法を使用して実行されてもよい。その例には、番組に関するパラメータ（TVショーでは局の識別子及び開始時間等）と選択された記録モードとを有する時間設定のイベントのプログラミングがある。関連の予約したアイテム（この例では保留中のアイテム）が適合する必要がある場合に、起こり得る以後の参照のために、嗜好情報を保持することが望ましい。予約したアイテムの他の例は、現在記録されているアイテムと、以前に記録したアイテムとを有する。予約したアイテムは、嗜好に応じて適合可能である。
【００１９】
記録モードが特定されなかった場合118、又は特定された記録モード116が選択されなかった場合126、その方法は、少なくとも１つの予約したアイテムを適合させ120、予約していない容量を取得するステップ112で始まる方法を繰り返すことが好ましい。
【００２０】
予約したアイテムを適合させることにより、予約したアイテムにより占有される予約した容量が変更されることになる。一般的な状況では、予約したアイテムにより占有される予約した容量は、予約していない容量を対応して増加させるように減少し、それによって、新しいアイテムが記録装置の有限の容量内に受け入れられることが可能になる。予約したアイテムにより占有された予約した容量が増加するような代替も可能である。例えば、スケジューリングされた（すなわち保留中の）予約したアイテムの記録を開始する前に、アイテムの記録した品質を高めるために、（アイテムに関連する嗜好の範囲内で）その記録モードが変更されてもよい。アイテムは（嗜好の範囲内及び予約していない記録容量の範囲内で）最高の可能な品質に対応する記録モードを使用して記録されることが好ましい。例えば、これにより、必要な場合には、アイテムが代替記録モードを使用して減少した品質で再記録されることにより、その後に適合することが可能になる。この態様について、図４及び５に関連して以下で更に説明する。
【００２１】
図１ｂは、アイテムを記録するときに、記録装置の記録容量を管理する方法のフローチャートを示している。その方法は152で開始し、図１ａに関して前述したものと同様に、記録装置の複数の記録モード155を表すデータを受信する154。任意選択で、嗜好158は例えばユーザインタフェース又はネットワークから受信される156。その他に、前述のように、嗜好158はデフォルトのパラメータセットとしてその方法に利用可能である。次に、その方法は嗜好158に基づいて記録モードを選択し160、例えば適切なコマンドを記録装置に発行することにより、選択された記録モードを使用してアイテムの記録を開始する162。アイテムを記録している間に、その方法は、例えば図１ａに関して前述したものと類似の機構を使用して、予約していない記録容量を取得する166。予約していない容量が所定量より小さいと決定された場合168、その方法は少なくとも１つの予約したアイテムを適合させる170。現在記録されているアイテムが終了したと決定されると164、その方法は172で終了する。
【００２２】
予約していない記録容量が所定量より小さいと決定された場合、その方法は、１つ以上の予約したアイテムが進行中に適合することを可能にする。このように、予約した記録容量が減少し、それによって所定量より大きくなるように、予約していない記録容量が増加するように調整され得る。明らかに不十分な容量が利用可能である場合に、現在記録されているアイテムが全体として記録されることが可能になるという利点がある。保留中のアイテム及び以前に記録したアイテムについて、それぞれその関連の嗜好に従って適切な記録モードが使用されることを確保しつつ、それが実現され得るという更なる利点がある。また、予約したアイテムは、予約した記録容量が増加するように適合可能であり、例えば保留中のアイテムが実際に記録されているときに、より高い品質の記録モードを使用することが可能になる点に留意すべきである。
【００２３】
所定量の一例は、選択された記録モードを使用して現在記録されているアイテムに必要な記録容量に対応するものである。理論的には、これは、絶対的に必要になる状況まで１つ以上の予約したアイテムの適合を遅延させることにより、容量の利用率を最適化し得る。実際には、現在のアイテムの記録を継続するのに遅れずに、適合により容量が解放されないことがあるリスクが生じることを前提として、このような適合は瞬間的ではない。所定量は、選択された記録モードを使用した記録時間の複数分に対応し、それによって、現在のアイテムの記録を継続しつつ１つ以上の予約したアイテムの必要な適合を実行する時間を与えることが好ましい。
【００２４】
第１の例は、選択された記録モードを使用した１分の記録時間に所定量が対応する場合である。この時間尺度内では、代替記録モードの選択を必要とする適合は、例えば保留中のアイテムに関して一般的に実現可能であると考えられる。同様に、保留中又は以前に記録されたアイテムに関する削除を用いた適合も、一般的に実現可能であると考えられる。記録装置が可能な場合には、例えばハードディスクドライブ（HDD）を使用した装置のように、リアルタイムよりかなり高速のレートでの記録を可能にする記録装置の場合には、以前に記録されたアイテムの再記録を利用する適合も実現可能な場合がある。明らかに、この例では、その方法は、予約していない容量を正確且つ頻繁に監視する必要がある。
【００２５】
第２の例は、選択された記録モードを使用した１５分の記録時間に所定量が対応する場合である。この時間尺度内では、例えばDVDレコーダを利用した装置のように、リアルタイムより少し高速のレートでの記録を可能にする記録装置の場合には、代替記録モードの選択又は予約したアイテムに関する削除に加えて、再記録を利用した適合が実現可能である。
【００２６】
最後に、第３の例は、選択された記録モードを使用した６０分の記録時間に所定量が対応する場合である。この時間尺度内では、同様に代替記録モードの選択又は予約したアイテムに関する削除に加えて、例えばテープ記録を利用した装置のように、リアルタイムに近いレートでの記録を可能にする記録装置の場合には、再記録を利用した適合が実現可能である。
【００２７】
予約したアイテムは、現在記録されているアイテムを有してもよく、そのようなアイテムの適合は、嗜好に基づいて代替記録モードを選択し、選択された代替記録モードを使用してアイテムの記録を継続することを有する。アイテムを記録している間に、アイテムについて行われる記録は、嗜好に基づいて再選択され、代替記録モードの選択を生じ、アイテムの記録は代替記録モードを使用して継続し得る。このことにより、以前に記録されたアイテムの部分（すなわち、以前の記録モードを使用して記録された部分）に比較して、アイテムの部分が異なる（例えばより小さい）容量を占有することが可能になる。任意選択で、その方法はまた、選択された代替記録モードを使用してアイテムの以前に記録された部分を再記録することができ、それによってこの部分が異なる容量を占有することが可能になる。
【００２８】
予約したアイテムは、以前に記録されたアイテムを有してもよく、そのようなアイテムの適合は、嗜好に基づいて代替記録モードを選択し、選択された代替記録モードを使用してアイテムを再記録することを有する。これは、以前に記録されたアイテムの一般的な場合であり、前述の現在記録されているアイテムの記録部分を含む。記録したアイテムは、嗜好に基づいて何らかの代替記録モードを使用して記録され得る（例えば理論的には高品質の記録が低品質の記録と交換することが可能になる）。実際には、記録モードは、使用される圧縮レベルによる損失を通常では導入する。このような損失は復元可能ではない。従って、普通の予約されていない容量及び嗜好を前提として達成できる最高位品質を可能にする記録モードを使用して、アイテムを最初に記録することが好ましい。この方策は、アイテムを再記録する必要性が生じた場合に、低品質の記録モードが潜在的に（すなわち嗜好に基づいて）利用可能になることを確保する。
【００２９】
予約したアイテムは、保留中のアイテムを有してもよく、そのようなアイテムの適合は、嗜好に基づいて代替記録モードを選択することを有する。保留中のアイテムは、何らかの将来での記録用にスケジューリングされたアイテムである。嗜好に基づいて代替記録モードを選択する代わりに、保留中のアイテムを適合させることは、アイテムの記録をスケジューリングするときに記録装置の記録容量を管理する方法を繰り返すことで実現可能である。後者の場合、記録したアイテムと異なり、このような適合の利点は、どのような理由であれ、保留中のアイテムが以前にスケジューリングされたときの場合より大きく予約されていない容量が利用可能である場合に、高品質の記録モードが選択可能であるという点である。
【００３０】
予約したアイテムはまた、嗜好に基づいて予約したアイテムを削除することにより、適合可能である。
【００３１】
予約したアイテムを適合させるために、当然のことながら、そのそれぞれの嗜好データを保持する必要がある。予約したアイテムは、１回より多く適合可能である。
【００３２】
図２は、記録装置の記録容量を管理するシステムの概略図を示している。一般的に200で示すシステムは、処理手段201と、インタフェース210と、記録装置208とを有する。処理手段201は、CPU202と、プログラム記憶装置204と、データ記憶装置206とを有し、全てがインタフェース210で相互接続されている。プログラム記憶装置204に含まれる命令の制御により、処理手段201は、アイテムの記録をスケジューリングするときに、
−例えば、インタフェース210を介して記録装置208から送信された記録装置の複数の記録モードを表すデータを受信し、
−例えば、予約したアイテムを有するデータ記憶装置206に保持されたデータから、及び記録装置の媒体の全体容量を有する記録装置208から受信したデータから、記録装置の予約していない記録容量を取得し、
−記録モード毎に、そのモードを使用してアイテムを記録するために必要な容量を計算し、
−計算された容量が予約していない記録容量より小さい記録モードを特定し、
−１つ以上の記録モードが特定されたときに、例えば嗜好がデータ記憶装置206にデフォルトのパラメータセットとして保持されている場合に、嗜好に基づいて特定された記録モードを選択し、
−例えば、新しく予約した（保留中の）アイテムに対応するデータをデータ記憶装置206に記録して、選択された記録モードを使用してアイテムの記録をスケジューリングし、
アイテムを記録するときに、
−記録装置の複数の記録モードを表すデータを受信し、
−嗜好に基づいてアイテムを記録する記録モードを選択し、
−例えばインタフェース210を介して記録装置208に適切なコマンドを発行することにより、選択された記録装置を使用してアイテムの記録を開始し、
−アイテムを記録している間に、
・予約していない記録容量を取得し、
・予約していない記録容量が所定量（例えばその量の値はデータ記憶装置206に格納されている）より小さい場合に、（例えば予約したアイテムを選択してそのアイテムを嗜好に従って適合させることにより）少なくとも１つの予約したアイテムを適合させるように動作する。
【００３３】
インタフェース210は、処理手段と記録装置との間でデータを交換するように動作可能であり、記録装置208は、処理手段と協働するように動作可能である。適切な処理手段は、（インタフェース210）を介して記録装置に接続されたものであるが、記録装置から遠隔のものでもよい。その例には、他のCE装置又はサーバ（例えばインターネットサーバ）のようなネットワークエンティティが含まれる。ユーザの家にある記録装置について容量の管理を提供するインターネット上のサービスプロバイダについて検討する。これは、パーソナルビデオレコーダ（PVR：Personal  Video  Recorder）での記録についてのコンテンツの選択のみを管理する既存のEPG駆動のパーソナルビデオレコーダ（PVR）に対する拡張を表す。代替として、処理手段は記録装置と統合可能である。
【００３４】
図３は、記録装置の記録容量を管理する図２のシステムの応用を示している。一般的に300で示す応用は、セットトップボックス（STB）302と、Project50メッセージングをサポートするScartインタフェース304と、PVR306（HDD型記録装置）とを有する。動作中に、STB302は、Scartインタフェース304で送信されたProject50メッセージを介して、PVR306から複数の記録モードを表すデータを受信する。STB302はまた、例えば番組タイマーブロックに対して保留中のアイテムのスケジューリング、記録機能の制御、状態の問い合わせ等を行うように、同様にProject50メッセージを介してPVRに指示し得る。Project50メッセージの使用により、どの装置がどれになるかということに関して矛盾又は混乱を生じることなく、更なる記録装置がシステムに接続されることが可能になる。また、Project50の使用により、提案の方法を実装するように既存のプロダクトへの（例えばソフトウェアによる）簡単な拡張が可能になる。ScartでのProject50メッセージの使用に関する前記の説明は、HDMIでのCECメッセージの使用にも同様に当てはまる。USBやRS232CやEthernet（登録商標）のような有線インタフェースとWiFiやZigbeeやIEEE802.11のような無線インタフェースとを含み、代替インタフェースもまた適切である。
【００３５】
一例では、図２の処理手段201は、STB302及び／又はインターネットサーバ308に含まれる。すなわち、これらの装置間での処理機能の何らかの共有が可能であり、場合によっては望ましい（例えば、インターネットサーバはコンテンツアイテムに特有の処理タスクを管理してもよい）。一例では、STBは嗜好データ312を受信し（嗜好データ312は、STBに埋め込まれたデフォルトの嗜好データを交換又は増補してもよい）、このような嗜好データは、インターネットサーバ308又はユーザインタフェース310から受信される。明らかに、インターネットサーバ又はユーザインタフェースはシステムの他の装置に接続されてもよく、嗜好データはProject50メッセージを介してSTBに伝えられてもよい。
【００３６】
図４は、図１ａの方法による予約したアイテムの適合の概略図である。図はグラフィック的であり、横座標に沿って測定した記録装置の容量を示している。図面に記録装置の全体容量400が示されている。保留中のアイテム又は記録したアイテムを有する予約したアイテム402は、容量404を有しており、記録装置の予約していない記録容量408を生じている。他のアイテムもまた記録装置の容量を占有してもよいが、明瞭性のため、これらは図面に示されていない。更なるアイテム406が、図１ａの方法に従ってスケジューリングされる。記録装置の記録モード毎に、その方法は、アイテムを記録するために必要な容量を計算する。これは、アイテム406について計算された容量の範囲を生じてもよい。図面は、アイテム406について計算された最小の容量410を示しており、その容量は、予約していない記録容量408を上回る。このことは、少なくとも１つの予約したアイテムを適合させずに、適切な記録モードが特定できないことを意味する。その少なくとも１つの予約したアイテムはアイテム402を有する。一例として、アイテム402は、修正した容量42を有するものとして図示されるように適合しており、次に、新しく予約されていない記録容量416が取得されることを生じる。この容量416は、アイテム406について計算された最小の容量410を受け入れるのに十分であるばかりでなく、嗜好に基づく他の記録モードを使用してアイテム406について１つ以上の計算された他の容量をも受け入れるのに十分になる。図示の例では、実際に他の記録モードが選択され、アイテム406が容量414（容量408より大きい）を有することを生じる。アイテム406がスケジューリングされると、取得された予約していない記録容量は418になる。一般的に記録モードの選択は、前述のように、アイテムが最善の利用可能な品質で記録される方策を実装するように行われる。例えば（この例での408のように）計算された最小の容量を使用して各アイテムをスケジューリングし、それにより記録装置の所定の全体容量に対してスケジューリング可能なアイテムの数を最大化するような、代替の方策も可能である。これに対して、スケジューリングされたアイテムが実際に記録されると、代替記録モードが嗜好に基づいて選択され、アイテムが最善の利用可能な品質で記録されることを確保し、それによって前述のように必要に応じて以後の記録が可能になる。
【００３７】
図５は、図１ｂの方法による予約したアイテムの適合の概略図を示している。図はグラフィック的であり、横座標に沿って測定した記録装置の容量を示している。図面に記録装置の全体容量500が示されている。アイテム502（アイテム502a及び502bを有する）は、第１の記録モードを使用して記録装置に現在記録されており、既に記録されている容量504を備えた部分502aと、引き続き記録される部分502bとを有する。部分502bの継続期間（従って第１の記録モードを使用したその容量508）は未知でもよい。２つの部分の接点506は現在の記録位置に対応し、記憶装置の予約していない記録容量510が所定量より小さくなる点である。所定量は、第１の記録モードを使用してアイテムに必要な記録容量に対応してもよく、これは既知である。代替として、所定量は、第１の記録モードを使用した記録時間量に対応する。この選択肢はアイテム502の正確な継続期間が未知の場合に有用である。点506において、その方法は、少なくとも１つの予約したアイテムを適合させることを決定する。そのアイテムは、保留中のスケジューリングされたアイテム又は以前に記録されたアイテムを有する。図示の例では、適合する予約したアイテムは、現在記録されているアイテム502の保留中の部分502bを有する保留中のスケジューリングされたアイテムである。第２の（すなわち代替の）記録モードは、嗜好に基づいて選択され、第２の記録モードを使用してアイテム502の記録が続けられ、容量514での部分502bの記録を生じる。好ましくは、また、図に示すように、部分502aは第２の記録モードを使用して（場合によって何らかの後の時間に）再記録され、部分502aが容量512（この場合には元の容量504より小さい）を有することを生じる。それによって、他のアイテムによる生じ得る使用のために容量を解放する。双方の部分502a及び502bが第２の記録モードを使用して記録される例では、予約していない記録容量は516で示される。
【００３８】
前述の方法及び実装は、一例のみとして提示されており、本発明の利点を利用して当業者に容易に特定され得る方法及び実装の範囲の選択肢を表している。
【００３９】
前記に並びに図１ａ及び図１ｂを参照して、ユーザの関与なしに記録装置の記録容量を管理する方法が開示され、記録装置の複数の記録モードを表すデータを受信し104、154、普通の予約していない記録容量を使用してアイテムを記録するために使用され得る１つ以上の記録モードを特定し114、嗜好に基づいて選択された記録モード122、160を使用してアイテムの記録を構成し128、162、必要に応じて１つ以上の保留中のアイテム又は以前に記録されたアイテムを適合させる120、170ことを有する。
【図面の簡単な説明】
【００４０】
【図１ａ】アイテムの記録をスケジューリングするときに、記録装置の記録容量を管理する方法のフローチャート
【図１ｂ】アイテムの記録をするときに、記録装置の記録容量を管理する方法のフローチャート
【図２】記録装置の記録容量を管理するシステムの概略図
【図３】記録装置の記録装置を管理する図２のシステムの応用
【図４】図１ａの方法による予約したアイテムの適合を表す図
【図５】図１ｂの方法による予約したアイテムの適合を表す図
【図１ａ】
2007520836.tif 000003
【図１ｂ】
2007520836.tif 000004
【図２】
2007520836.tif 000005
【図３】
2007520836.tif 000006
【図４】
2007520836.tif 000007
【図５】
2007520836.tif 000008
【国際調査報告】
2007520836.tif 000009
2007520836.tif 000010
2007520836.tif 000011